(57)【要約】      （修正有）【課題】窓開口部等の建物開口部が全開時において、ガイドレールの長さ方向に設けたテープスイッチの上部にシャッターカーテンの座板に設けた作動部（ラッチ部ないし座板錠）が引っ掛かることを防止し、もって、スラットがケース内で巻き崩れを起こすことを防止する。【解決手段】シャッター装置における障害物検知用テープスイッチ９０は、前面部９０１と後面部９０２を有し、ガイドレール１の長さ方向に沿って、前面部９０１がシャッターカーテン２の幅方向端部に対向するようにして、ガイド−レル１内に設けてあり、テープスイッチ９０の前面部９０１は、シャッターカーテン下端の座板６に障害物が当たった時に、座板６の幅方向端部に設けた作動部７が突出することで押圧されて障害物検知信号を生成するようになっており、テープスイッチ９０の上端には、前面側から後面側に向って斜め上方に延出する傾斜面９２が形成されている。【選択図】図３
2006009561.tif 000002
【特許請求の範囲】
【請求項１】
シャッター装置における障害物検知用テープスイッチにおいて、
該テープスイッチは、前面部と後面部を有し、ガイドレールの長さ方向に沿って、該前面部がシャッターカーテンの幅方向端部に対向するようにして、該ガイド−レル内に設けてあり、
該テープスイッチの前面部は、シャッターカーテン下端の座板に障害物が当たった時に、座板の幅方向端部に設けた作動部が突出することで押圧されて障害物検知信号を生成するようになっており、
該テープスイッチの上端には、前面側から後面側に向って斜め上方に延出する傾斜面が形成されていることを特徴とするシャッター装置における障害物検知用テープスイッチ。
【請求項２】
テープスイッチの上端には、テープスイッチに比べて硬質の材料から構成された部材が設けてあり、該部材が前記傾斜面を形成していることを特徴とする請求項１に記載の障害物検知用テープスイッチ。
【請求項３】
前記部材は、該テープスイッチによる障害物検知信号を送信するためのリード線の端末処理部材であり、該端末処理部材には前記傾斜面が形成されており、該端末処理部材を該テープスイッチの上端に設けたことを特徴とする請求項２に記載の障害物検知用テープスイッチ。
【請求項４】
前記部材は、該テープスイッチの上端に設けたカバー部材であり、該カバー部材に前記傾斜面が形成されていることを特徴とする請求項２に記載の障害物検知用テープスイッチ。
【請求項５】
前面部と後面部を有する長尺状のテープスイッチと、
該テープスイッチの上端に設けたリード線組立体とを有し、
該リード線組立体は、シャッター開閉制御回路に障害物検知信号を送信するリード線と該リード線の端末処理部材とを有し、該端末処理部材は傾斜面を有しており、
該リード線組立体は、該端末処理部材が、該テープスイッチの上端に前面側から後面側へ上方に向って傾斜面を形成するように、該テープスイッチの上端に取り付けられることを特徴とするテープスイッチ組立体。
【請求項６】
シャッター装置における障害物検知用テープスイッチにおいて、
該テープスイッチは、前面部と後面部を有し、ガイドレールの長さ方向に沿って、該前面部がシャッターカーテンの幅方向端部に対向するようにして、該ガイド−レル内に設けてあり、
該テープスイッチの前面部は、シャッターカーテン下端の座板に障害物が当たった時に、座板の幅方向端部に設けた作動部が突出することで押圧されて障害物検知信号を生成するようになっており、
該テープスイッチの上端には、前面側から後面側に向って斜め上方に延出する傾斜面を有するカバー部材がテープスイッチの上端部を覆うように設けられ、該カバー部材は該ガイドレールに固着されていることを特徴とするシャッター装置における障害物検知用テープスイッチ。
【請求項７】
前記テープスイッチの上端は、テープスイッチの伸縮を許容できるように前記カバー部材内に移動可能に受け入れられていることを特徴とする請求項７に記載の障害物検知用テープスイッチ。
【請求項８】
前記カバー部材の側部にはテープスイッチ上端から引き出されるリード線の挿通部が形成されていることを特徴とする請求項６，７いずれかに記載の障害物検知用テープスイッチ。
【発明の詳細な説明】
【技術分野】
【０００１】
本発明は、シャッター用の障害物検知装置として用いられる障害物検知用テープスイッチの構造に関するものである。
【背景技術】
【０００２】
電動シャッター装置の障害物検知装置として、テープスイッチをガイドレールの長さ方向に沿って該ガイド−レル内壁に設け、シャッターカーテン下端の座板の幅方向端部には、該座板に対して上方向の力が作用した時に、該ガイドレール内壁に向って突出して該テープスイッチを押圧するラッチ部を設け、シャッターカーテンの下降時にシャッターカーテン下端部が障害物に当接した際にラッチ部がテープスイッチを押圧するものがある。
【０００３】
従来の障害物検知用テープスイッチについて、図６、図７を参照しながら説明する。本発明の説明に用いる図面と同じ構成要素については同じ参照符号を付けて説明する。従来のテープスイッチ組立体９は、端末処理材（シリコーンゴム）にリード線を接着して構成したリード線組立体９１の該端末処理材をテープスイッチ９０内に挿入し、シリコーンゴムを熱処理して硬化させて一体化させてテープスイッチ組立体９を形成している。テープスイッチ９０は上下方向に延出する長尺材であり、シャッターカーテンを案内するガイドレール１の内壁に設けてある。テープスイッチ９０の下端は開口部全閉時におけるシャッターカーテン最下端の座板の位置より若干上方側に位置し、テープスイッチ９０の上端はガイドレール１の上端部の拡開状ないし漏斗状のいわゆるラッパ部よりも所定寸法下方側にまで達している。テープスイッチ９０の下端の直下には、座板錠を兼用するラッチ部が係止する座板錠掛かり１３が形成されている。このような障害物検知装置は、例えば、特許第２６７８６６１号に記載されている。
【０００４】
ここで、シャッターカーテン全開時には、テープスイッチの上端は、通常、巻取シャフトに巻き取られたシャッターカーテン下端の座板よりも上方に位置しているが、手動でさらにシャッターカーテンの下端の座板を持ち上げようとした時に、シャッターカーテン下端に位置する座板に設けたラッチ部（座板錠）がテープスイッチ９０の上端部位よりさらに上方に行き過ぎてしまうことがある。図６、図７に示すように、テープスイッチ９０の上端は平面９００となっており、また、テープスイッチは軟質の樹脂から構成されているので、ラッチ部（座板錠）が載り易い形状及び材質となっている。ラッチ部（座板錠）が一度テープスイッチ９０の上端面９００に引っ掛かった状態で（図８参照）、電動でシャッターカーテンを降下させようとすると、シャッターカーテンがシャッターケース内で巻き崩れを起こしてしまうという不具合があった。
【０００５】
このような不具合の対処法として、テープスイッチの寸法を長くして、テープスイッチ上端が、ラッチ部の最上限位置よりも高い位置に達するように設定することが考えられた。しかしながら、その場合、ガイドレール上部の形状をシャッターカーテンが引っ掛かることなくガイドレールに入り込むような拡開状ないし漏斗状（いわゆるラッパ形状）に加工する関係で、テープスイッチを保持するガイドレール部材の一部の壁が欠損するため、テープスイッチ上端部を十分に保持することができず、テープスイッチ上端部が垂れてしまうという問題が発生する。さらに、テープスイッチの材質は樹脂であることから熱による伸長を考慮する必要がある（通常の窓シャッターでは、最大で２ｃｍ程度の伸びがある）。このような理由から、テープスイッチの寸法を、テープスイッチを保持するガイドレールに対してあまり長くすることは出来ない。
【０００６】
また、他の対処法として、ガイドレール自体の長さを大きくすることにより、テープスイッチの寸法を長くして、テープスイッチの上端の位置をラッチ部の最上限位置よりも高い位置に設定することも考えられる。しかしながら、このものでは、ガイドレール寸法を長くする関係で、必要以上に上部ボックスの高さ寸法が大きくなってしまい、納まり上及び意匠上の問題が生じてしまう。
【発明の開示】
【発明が解決しようとする課題】
【０００７】
本発明は、窓開口部等の建物開口部が全開時において、ガイドレールの長さ方向に設けたテープスイッチの上部にシャッターカーテンの座板に設けた作動部（ラッチ部ないし座板錠）が引っ掛かることを防止し、もって、スラットがケース内で巻き崩れを起こすことを防止することにある。
【課題を解決するための手段】
【０００８】
かかる課題を達成するために本発明が採用した技術手段は、シャッター装置における障害物検知用テープスイッチにおいて、該テープスイッチは、前面部と後面部を有する長尺部材であり、ガイドレールの長さ方向に沿って、該前面部がシャッターカーテンの幅方向端部に対向するようにして、該ガイド−レル内に設けてあり、該テープスイッチの前面部は、シャッターカーテン下端の座板に障害物が当たった時に、座板の幅方向端部に設けた作動部が突出することで押圧されて障害物検知信号を生成するようになっており、該テープスイッチの上端には、前面側から後面側に向って斜め上方に延出する傾斜面が形成されていることを特徴とするものである。
【０００９】
テープスイッチ上端の傾斜面は、テープスイッチの上端部位によって形成してもよいが、一つの好ましい態様では、該傾斜面は、テープスイッチの上端に設けた別部材によって構成される。さらに好ましくは、該部材は、テープスイッチに比べて硬質の材料から構成されている。
【００１０】
一つの好ましい態様では、該部材は、該テープスイッチによる障害物検知信号を送信するためのリード線の端末処理部材である。端末処理部材は、前記傾斜面を構成する本体と、該本体の底面に突成された端末処理部と、該本体を通り該端末処理部と電気的に連結されているリード線とを有する。該端末処理部をテープスイッチの上面に挿入することで、該端末処理部とテープスイッチの検知部とを電気的に接続し、端末処理部材とテープスイッチとを一体化してなる。
【００１１】
他の態様では、既存のテープスイッチの上端に傾斜面を構成する部材を後付けするものでもよい。このような部材としては、傾斜面を備えたカバー部材が例示される。一つの態様では、カバー部材は、その傾斜面の背面側にリード線が挿通するようにしてテープスイッチの上端に取り付けられる。カバー部材の他の態様では、テープスイッチの上端には、前面側から後面側に向って斜め上方に延出する傾斜面を有するカバー部材がテープスイッチの上端部を覆うように設けられ、該カバー部材はガイドレールに固着される。好ましくは、テープスイッチの上端は、テープスイッチの伸縮を許容できるようにカバー部材内に移動可能に受け入れられている。好ましくは、カバー部材の側部にはテープスイッチ上端から引き出されるリード線の挿通部が形成されている。
【００１２】
また、本発明は、テープスイッチ組立体としても提供される。本発明に係るテープスイッチ組立体は、前面部と後面部を有する長尺状のテープスイッチと、該テープスイッチの上端に設けたリード線組立体とを有する。リード線組立体は、シャッター開閉制御回路に障害物検知信号を送信するリード線と該リード線の端末処理部材とを有し、該端末処理部材は傾斜面を有している。リード線組立体は、該端末処理部材が、該テープスイッチの上端に前面側から後面側へ上方に向って傾斜面を形成するように、該テープスイッチの上端に取り付けられる。
【００１３】
好ましい態様では、該作動部はラッチ部であり、座板錠を兼用する。ガイドレール内には、該テープスイッチ下端の下方に位置してラッチ掛かり部が形成され、建物開口部全閉時には、該ラッチ部が該ラッチ掛かり部に突出して係止して、座板の持ち上げを防止する。また、テープスイッチは左右のガイドレールの両側に設けるものでも、あるいは一方のガイドレールに設けるものでもよい。
【発明の効果】
【００１４】
本発明に係るテープスイッチの上部は傾斜面に形成されているので、開口部全開時において、作動部（ラッチ部ないし座板錠）がテープスイッチ上部に引っ掛かってシャッタースラットがケース内で巻き崩れを起こす不具合を解消することができる。さらに、傾斜面は、雨水がガイドレールに侵入した際に、雨水を逃がすことで、雨水がテープスイッチ内部に侵入することを防止する。
【００１５】
前記傾斜面を硬質の材料からなる部材で形成したものは、突出する作動部が傾斜面に当接した時に傾斜面に沿って作動部を良好に案内するので、引っ掛かり防止においてさらに有利である。例えば、後述する実施例のように作動部が互いに回動自在に連結した二つのリンク（後述の実施例にあるラッチ部）から構成されている場合に、傾斜面が軟質の材料（例えば、テープスイッチと同じ材料）から形成されているような場合には、シャッターカーテン下端の座板を持ち上げることにより、V字状に突出する作動部のリンクの連結部が軟質の傾斜面に当接すると、傾斜面がリンク形状の連結部に沿うように変形して、リンクが下部座板自重により伸長する時に抵抗となってしまう恐れがある。これに対して、硬質の傾斜面にリンクの連結部が当接した場合には、上記変形がなくリンク伸長の抵抗がないため、テープスイッチの上端に作動部がより引っ掛かり難くなる。また、作動部が水平方向に突出するラッチ杆から構成される場合にも、傾斜面が軟質の材料から形成されている場合には、水平方向に突出するラッチ杆の先端が傾斜面に食い込んでしまう恐れがある。これに対して、硬質の傾斜面に突出するラッチ杆の先端が当接した場合には、該先端は傾斜面に引っ掛かることなく傾斜面に案内されて下方に移動する。
【００１６】
該テープスイッチによる障害物検知信号を送信するためのリード線の端末処理部材に前記傾斜面が形成されており、該端末処理部材を該テープスイッチの上端に設けるものでは、端末処理部材の底面をテープスイッチの上端に当接させることで端末処理部をテープスイッチの上端の凹部に差し込んで取り付けるので（差込方向の位置が底面と上端面の当接によって決定される）、従来のように、リード線の先端に接続された端末処理部を直接テープスイッチの上端の凹部に差し込むように取り付ける（差込方向の位置が決まらない）ことに比べて取付が容易である。
さらに、端末処理部材は、防水用の蓋体としても機能して、雨水がテープスイッチ内部に侵入することを防止する。
【００１７】
また、該テープスイッチの上端に設けたカバー部材が設けてあり、該カバー部材に前記傾斜面が形成されているものでは、既存のシャッター装置に対しても、テープスイッチの上端部にテーパ状にしたカバー部材を固定することで、本発明を提供することができる。また、カバー部材をガイドレール側に固着したものでは、カバー部材がテープスイッチの抜け止め部材としての役割を有する。さらに、このものにおいて、テープスイッチの上端を、テープスイッチの伸縮を許容できるようにカバー部材内に移動可能に受け入れることで、熱膨張によるテープスイッチの伸縮に良好に対応することができる。
【発明を実施するための最良の形態】
【００１８】
図１は、窓シャッター装置の正面図及び側面図であり、窓シャッター装置は、窓開口部の左右側部に立設された左右のガイドレール１と、窓開口部を開閉するシャッターカーテン２と、窓開口部の上方に設けたシャッターケース３を有する。シャッターケース３内には図示しない巻取シャフトおよびシャッター開閉機が設けてあり、該巻取シャフトは該開閉機によって回転駆動される。シャッターカーテン２の上端は該巻取シャフトに連結されており、巻取シャフトの正逆回転によって、シャッターカーテン２は、巻取シャフトに巻き取られて窓開口部を開放し、あるいは、巻取シャフトから繰り出されて窓開口部を閉鎖する。シャッター開閉機はシャッターの開閉操作を行うスイッチボックス４と開閉制御回路を介して電気的に接続されている。スイッチボックス４は開閉制御回路のスイッチを構成しており、スイッチボックス４の上昇スイッチ、停止スイッチ、下降スイッチから入力される指令によって、シャッターカーテン２の上昇、停止、下降が行われる。
【００１９】
シャッターカーテン２は、複数枚の長尺状のスラット５を上下方向に互いに屈曲自在に連設することで構成されており、シャッターカーテン２の下端には座板６が設けてある。シャッターカーテン２は、その幅方向両端部が開口部左右に立設したガイドレール１の溝内に延出しており、シャッターカーテン２の開閉時には、各スラット５の両端部がガイドレール１に案内されながら上下に移動する。
【００２０】
図２に示すように、座板６は、上座板部材６０と下座板部材６１とから構成されている。上座板部材６０には下方が開口状で上方に向って延出する案内溝６００が形成されており、案内溝６００の下端（開口部端縁）には係止突起６０１が対向状に形成されている。下座板部材６１には、垂直片６１０と垂直片６１０の上端に一体的に形成された水平片６１１とから断面視略Ｔ形状に形成されたて延出片が形成されている。下座板部材６１の延出片は上座板部材６０の案内溝６００内に上下方向に移動可能に受け入れられている。
【００２１】
シャッターカーテンの昇降時において、下座板部材６１の下端が床面や障害物から自由な状態では、下座板部材６１の延出片の水平片６１１が上座板部材６０の係止突起６０１に係止することで、下座板部材６１は上座板部材６０から吊持された状態であり、上座板部材６０と下座板部材６１とからなる座板６は上下方向に伸長した姿態である（図２右図）。
【００２２】
シャッターカーテン２の下降時に、シャッターカーテン２の座板６が着床した時、あるいは、シャッターカーテン２の下端に障害物等が当接すると、下座板部材６１の延出片が上座板部材６０の案内溝６００内を相対的に上昇して、伸長姿態にある上座板部材６０と下座板部材６１とが互いに近接する方向に移動し、座板６は上下方向に収縮した姿態となる（図２左図）。
【００２３】
座板６を構成する上座板部材６０と下座板部材６１の幅方向（長さ方向）端部には障害物検知装置の作動部を構成するラッチ部（座板錠）７が形成されている。ラッチ部７は、上リンク材７０と下リンク材７１とからなり、上リンク材７０の上端は上座板部材６０の端部に回転自在に軸着され、下リンク材７１の下端は下座板部材６１の端部に回転自在に軸着され、上リンク材７０の下端と下リンク材７１の上端とを回転自在に軸着することで構成されている。通常のシャッターカーテンの昇降時における座板６の伸長姿態では、上リンク材７０及び下リンク材７１は下座板部材６１の自重が作用して全体として上下方向に延出した状態である（図２右図）。
【００２４】
シャッターカーテン２の下降時に、シャッターカーテン２の座板６が着床したり、あるいは、シャッターカーテン２の下端に障害物等が当接すると、前述のように、下座板部材６１の延出片が上座板部材６０の案内溝６００内を相対的に上昇し、座板６は上下方向に収縮した姿態となり、それに伴って上リンク材７０及び下リンク材７１は全体としてV形状に折れ曲がり、上リンク材７０と下リンク材７１の連結部位がガイドレール１内に突出する（図２左図）。図示のものでは、上リンク材７０と下リンク材７１の連結部位にはローラ体７２が設けてある。
【００２５】
図３に示すように、ガイドレール１は上下方向（開口部高さ方向）に延出する長尺部材であり、対向状の側辺１０，１１と側辺１０，１１同士の基端側を連結する底辺１２とを有し、対向状の側辺１０，１１の先端側が開口状となっており全体として断面視略コ字形状を有しており、対向状の側辺１０，１１と底辺１２とで形成される溝内にシャッターカーテン２の幅方向端部を受け入れるようになっている。ガイドレール１は、開口部枠に設けたガイドレール下地材８に対して取り付けられている。
【００２６】
ガイドレール１の溝内には、ガイドレールの長さ方向（上下方向）に延出するテープスイッチ９０が設けてある。具体的には、一方の側辺１１（図示のものでは室内側に位置する側辺１１）の内壁に、ガイドレールの長さ方向に延出するテープスイッチ９０が設けてある。図３に示すように、テープスイッチ９０の上端は、ガイドレール１の上端部位の拡開部のやや下方に位置しており、テープスイッチ９０の下端は、開口部全閉時にシャッターカーテン２の下端の座板の端部に位置する部位より若干上方に位置している。ガイドレール１の溝内には、テープスイッチ９の下端の直下に座板錠掛かり部１３が設けてある。
【００２７】
テープスイッチ組立体９は、テープスイッチ９０と、テープスイッチ９０の上端に設けたリード線組立体９１とを有し、リード線組立体９１はシャッターの開閉制御回路に電気的に接続されている。テープスイッチ９０は、前面部９０１と後面部９０２とを有する長尺状部材であり、前面部９０１がスラット端部に対向するように、後面部９０２をガイドレール１の側片１１の内壁に取り付けてある。一つの態様では、テープスイッチ９０内には対向状の一対の図示しない導電テープが封入されており、テープスイッチ９０が押圧されることで対向状の導電テープが接触して検知信号が生成され、生成された検知信号はリード線組立体９１を介して導出され、シャッターの開閉制御回路に送信されて、シャッターカーテン２の下降信号を遮断して、シャッターカーテン２の下降を停止する。
【００２８】
このように構成された障害物検知装置において、シャッターカーテン２の下降時に、シャッターカーテン２の下端の座板６が障害物に当接すると、上座板部材６０と下座板部材６１とからなる座板６が伸長姿態から収縮姿態に変化し、それに伴ってラッチ部７を構成するリンク部材７０，７１の連結部が突出してローラ体７２がテープスイッチ９０を押圧して検知信号を生成し、検知信号がシャッター開閉制御回路に送信されることでシャッターカーテン２の下降が停止される。通常時のシャッターカーテン２の昇降では、座板６が伸長姿態にあるので、ラッチ部７がテープスイッチ９０を押圧するようなことがない。
【００２９】
シャッターカーテン２が下降することで、シャッターカーテン２下端の座板６が着床すると、上座板部材６０と下座板部材６１とからなる座板６が伸長姿態から収縮姿態に変化し、それに伴ってラッチ部７を構成するリンク部材７０，７１の連結部が突出してテープスイッチ９０の下方に位置して設けてある座板掛かり部１３に係止して、座板６の上昇を規制する。すなわち、ラッチ部７は、開口部全閉時において、シャッターカーテン２の上昇を規制する座板錠としての機能を有する。
【００３０】
本発明に係るテープスイッチ組立体９は、テープスイッチ９０の上端部の構成に特徴を有するものである。図３に示すように、テープスイッチ９０の上端部はテーパ状に形成されている。具体的には、テープスイッチ９０の上端には、前面側から後面側に向って斜め上方に延出する傾斜面９２が形成されている。テープスイッチ９０の上端部を傾斜面９２に形成することで、ラッチ部７がテープスイッチ９０の上部に載っても、引っ掛かり難いように構成されている。
【実施例１】
【００３１】
図４は、テープスイッチ組立体９の第１実施例を示す。テープスイッチ組立体９は、断面視略長方形状で薄肉の長尺部材であるテープスイッチ９０と、テープスイッチ９０の上端に取り付けられたリード線組立体９１とからなる。テープスイッチ９０は、前面部９０１と後面部９０２を有し、前面部９０１がスラット端部に対向し、後面部９０２がガイドレール１の側片１１の内壁側に位置するようにしてガイドレール１の内壁に設けられる。リード線組立体９１を構成するリード線９１０の基端側には、端末処理部材９３が設けてあり、リード線９１０は端末処理部材（一つの好ましい態様では、テープスイッチよりも硬質のＡＢＳ樹脂からなる）９３を介してテープスイッチ９０の上端部に取り付けられる。端末処理部材９３は本体と端末処理部９３２とかなり、本体は、傾斜面（前面）９２と垂直面（後面）９３０と底面９３１とを有し、本体の傾斜面９２の側部寄りの部分にはリード線９１０が通っており、本体の底面９３１にはリード線９１０の端末処理部９３２が突成されている。リード線組立体９１は、端末処理材９３の底面９３１に設けた端末処理部９３２をテープスイッチ９０の上端面に挿入し、底面９３１とテープスイッチ９０の上端面９０とを接着させることでテープスイッチ９０と一体化される。テープスイッチ９０の下端部にも端末処理材９４としてのシリコーンゴムが充填されている。
【実施例２】
【００３２】
図５は、テープスイッチ組立体９の第２実施例を示し、このものは、図６に示す従来のテープスイッチ組立体９をそのまま用いて構成し得るものである。テープスイッチ組立体９は、断面視略長方形状で薄肉の長尺部材であるテープスイッチ９０と、テープスイッチ９０の上端に取り付けられたリード線組立体９１とからなる。リード線組立体９１を構成するリード線９１０の基端側は、テープスイッチ９０の上端面９００内に挿入され、端末処理部材９４としてのシリコンが充填されている。テープスイッチ９０の上端部には、カバー部材９５が取り付けられる。カバー部材９５は傾斜面（前面）９２と垂直面（後面）９５０と底面９５１とを有し、カバー部材９５にはリード線９１０の挿通部が形成されている。一つの態様では、後面９５０と底面９５１は開口状となっており、カバー部材９５は傾斜状の傾斜面９２と、傾斜面９２の下端に形成したテープスイッチ９０の上端面９００への取付部から構成される。カバー部材９５は、前面９２の背面側にリード線９１０を挿通させるようにして、テープスイッチ９０の上端面９０に対して固定される。テープスイッチ９０の下端部にも端末処理材９４としてのシリコーンが充填されている。図では、一体のカバー部材９５を示したが、カバー部材９５は複数の部材から構成したものでもよい。
【実施例３】
【００３３】
図９及び図１０は、テープスイッチ組立体９の第３実施例を示し、このものは、図６に示す従来のテープスイッチ組立体９をそのまま用いて構成し得るものである。テープスイッチ組立体９は、断面視略長方形状で薄肉の長尺部材であるテープスイッチ９０と、テープスイッチ９０の上端に取り付けられたリード線組立体９１（図１０においてリード線９１０のみが図示されている）とからなる。テープスイッチ組立体の詳細な構成については、第２実施例の記載を流用することができるので省略する。また、複数の実施例を通して同じ部材については同じ参照番号を付してあり、これらの部材の説明については既述の記載を流用することができる。
【００３４】
テープスイッチ９０の上端面９００は、カバー部材９６によって覆われている。カバー部材９６は、前面側から後面側に向って斜め上方に延出する傾斜面９６０と、傾斜面９６０の下端より下方に向かって延出する垂直状の前面部９６１と、傾斜面９６０の上端より下方に向かって延出する垂直状の後面部９６２とを有する。図示のカバー部材９６において、前面部９６１が長尺片、後面部９６２が短尺片であり、前面部９６１がテープスイッチ上端を覆うカバー片であり、後面部９６２がガイドレール１への装着片を構成している。カバー部材９６の側部の少なくとも一方は開口状となっており、該開口がリード線９１０の挿通部を構成している。カバー部材９６は金属製の金具（金属板曲げ物）であって、カバー部材９６の前面部９６１は弾性を有する板バネとなっている。金属曲げ物からなるカバー部材９６は、容易かつ低コストでカバー部材９６を製作することができる。
【００３５】
テープスイッチ９０の上端面９００とガイドレール１の上端の拡開状部位１００との間には所定の空間が形成されているが、カバー部材９６は縦長状の部材であり、前記空間を塞ぐように設けられる。図示の態様では、カバー部材９６は、傾斜面９６０が拡開状部位１００の下方部位に位置させてあり、カバー部材９６の前面部９６１は、テープスイッチ９０の上端面９００の上方の空間内に垂直状に延出していると共に、前面部９６１の下方部位が、テープスイッチ９０の前面部９０１の上方部位に重なるように当接しており（重なりの寸法はテープスイッチの伸縮等を考慮して決定されることが望ましい）、かつ、カバー部材９６の後面部９６２は、ガイドレール１の側片１１の上方部位に当接しており、カバー部材９６の後面部９６２とガイドレール１の側片１１とは、側片１１の外側から締めるリベット９７によって一体的に固着されている。
【００３６】
カバー部材９６の前面部９６１は、テープスイッチ９０の上端面９００の上方の空間内に、テープスイッチ９０の前面部９０１と略面一に垂直状に延出しており、さらに、前面部９６１の上端には、前面側から後面側に向って斜め上方に延出する傾斜面９６０が形成されているので、開口部全開位置から座板を持ち上げた場合であっても、ラッチがテープスイッチ９０及びカバー部材９６に引っ掛かることがない。また、テープスイッチ９０の前面部９０１の上方部位はカバー部材９６の前面部９６１の下方部位によって覆われているが、カバー部材９６の前面部９６１は弾性を有しているので、テープスイッチ９０の前面部９０１の上方部位においてもカバー部材９６の前面９６１部を介してテープスイッチ９０が押圧されるので（図９の下図参照）、障害物検知に支障はない。
【００３７】
カバー部材９６は、ガイドレール１の側片１１に固着されており、カバー部材９６の前面部９６１の下方部位は、テープスイッチ９０の前面部９０１の上方部位に重なり合うように接触しているので、テープスイッチ９０の上端は、傾斜面９６０と、前面９６１と、後面９６２とで形成される空間内で移動可能となっており、カバー部材９６内の空間が、熱膨張によるテープスイッチの伸縮を許容できるようになっている。
【００３８】
通常テープスイッチは、ガイドレール１の溝内に差し込まれているだけなので、ガイドレール１に固着されたカバー部材９６をテープスイッチの上端に設けることで、カバー部材９６は、テープスイッチの抜け止め部材としての役割を有する。また、既述のように、第３実施例は、従来のテープスイッチ組立体９をそのまま用いることができ、既存のテープスイッチに対してカバー部材９６の後付が可能である。
【産業上の利用可能性】
【００３９】
本発明に係るテープスイッチは、シャッター装置の障害物検知装置の構成要素として用いることができる。
【図面の簡単な説明】
【００４０】
【図１】本発明に係るテープスイッチを有する障害物検知装置が設けられた窓シャッター装置の正面図及び側面図である。
【図２】シャッターカーテン下端の座板の側面図であり、左図は、座板が着床した状態あるいは障害物に当接した状態を示し、右図は、通常のシャッターカーテンの昇降時の座板の状態を示している。
【図３】本発明に係るテープスイッチが設けられたガイドレールの平面図、側面図および正面図である。
【図４】本発明に係るテープスイッチの第１実施例を示す図である。
【図５】本発明に係るテープスイッチの第２実施例を示す図である。
【図６】従来のテープスイッチを示す図である。
【図７】従来のテープスイッチが設けられたガイドレールの平面図、側面図および正面図である。
【図８】ラッチ部（障害物検知用のボタン部分）が従来のテープスイッチの上端面に引っ掛かった状態を示す図である。
【図９】本発明に係るテープスイッチの第３実施例を示す図であり、上図は開口部全開時において座板が持ち上げられた状態を示す図であり、下図はテープスイッチの上端近傍部位における障害物検知を示す図である。
【図１０】第３実施例に係るテープスイッチが設けられたガイドレールの断面図である。
【符号の説明】
【００４１】
１  ガイドレール
２  シャッターカーテン
６  座板
６０  上座板部材
６１  下座板部材
７  ラッチ部
７０  上リンク材
７１  下リンク材
９  テープスイッチ組立体
９０  テープスイッチ
９１  リード線組立体
９１０  リード線
９２  傾斜面
９３  端部処理部材
９６  カバー部材
９６０  傾斜面
９６１  前面部
９６２  後面部
９７  リベット
【図１】
2006009561.tif 000003
【図２】
2006009561.tif 000004
【図３】
2006009561.tif 000005
【図４】
2006009561.tif 000006
【図５】
2006009561.tif 000007
【図６】
2006009561.tif 000008
【図７】
2006009561.tif 000009
【図８】
2006009561.tif 000010
【図９】
2006009561.tif 000011
【図１０】
2006009561.tif 000012